(57)【要約】【解決手段】内張りシート６をシート巻装台に巻き、型枠支持台３の外周型枠部１９とトンネル１の内周壁面３７との間に巻装内張りシート６を挿入する。外周型枠部１９と、トンネル１の底部において外周型枠部１９の両端部間で案内ロッドにより上下動可能に支持した底型枠部３４とにより筒状型枠４１を設ける。底型枠部３４は、外周型枠部１９の両端部から下動してできる嵌込み室で巻装内張りシート６の両端部を引張して緊張させるチェーンブロクを設置する緊張作業位置Ｐと、緊張作業位置Ｐから上動して嵌込み室に嵌め込まれた連結作業位置Ｑとを取る。連結作業位置Ｑでは外周型枠部１９と底型枠部３４とを互いに連結して筒状型枠４１とトンネル１の内周壁面３７との間にコンクリート打設室３８を形成した。【効果】巻装内張りシート６を緊張状態で巻着した筒状型枠４１をトンネル１内で容易に設置することができる。【選択図】図５
2005179995.tif 000002
【特許請求の範囲】
【請求項１】
トンネル内に設置した型枠支持台の外周型枠部とトンネルの内周壁面との間に配置した巻装内張りシートをこの型枠支持台の外周型枠部で緊張させるとともにその緊張を維持し、その緊張維持後にトンネルの底部で型枠支持台の外周型枠部の両端部間に底型枠部を嵌め込んでこの外周型枠部の両端部とこの底型枠部の両端部とを互いに連結することにより、前記巻装内張りシートが巻着された筒状型枠を設けるとともに、この筒状型枠とトンネルの内周壁面との間にコンクリート打設室を形成することを特徴とするトンネルにおける内張りシート付き筒状型枠設置方法。
【請求項２】
内張りシートをシート巻装台の外周部に巻き、トンネル内に設置した型枠支持台の外周型枠部とトンネルの内周壁面との間にこの巻装内張りシートを挿入し、この型枠支持台の外周型枠部でこの巻装内張りシートを緊張させるとともにその緊張を維持し、その緊張維持後にトンネルの底部で型枠支持台の外周型枠部の両端部間に底型枠部を嵌め込んでこの外周型枠部の両端部とこの底型枠部の両端部とを互いに連結することにより、前記巻装内張りシートが巻着された筒状型枠を設けるとともに、この筒状型枠とトンネルの内周壁面との間にコンクリート打設室を形成することを特徴とするトンネルにおける内張りシート付き筒状型枠設置方法。
【請求項３】
トンネル内に設置した型枠支持台の外周型枠部と、トンネルの底部においてこの外周型枠部の両端部間で案内部材により上下動可能に支持した底型枠部とにより筒状型枠を設け、
この底型枠部は、型枠支持台の外周型枠部の両端部から下動する緊張作業位置と、この緊張作業位置から上動して型枠支持台の外周型枠部の両端部間に嵌め込まれた連結作業位置とを取り、この緊張作業位置では型枠支持台の外周型枠部に巻着された巻装内張りシートとトンネルの内周壁面との間に形成したコンクリート打設室に対しこの外周型枠部の両端部間の嵌込み室が連通し、この連結作業位置では型枠支持台の外周型枠部の両端部と底型枠部の両端部とを互いに連結して巻装内張りシートが巻着された筒状型枠とトンネルの内周壁面との間にコンクリート打設室を形成した
ことを特徴とするトンネルにおける内張りシート付き筒状型枠構造。
【請求項４】
前記底型枠部の緊張作業位置で、型枠支持台の外周型枠部の両端部間の嵌込み室には、前記巻装内張りシートの両端部のうち少なくとも一端部を型枠支持台の外周型枠部の両端部間で連結してこの巻装内張りシートの両端部を引っ張ることにより、この巻装内張りシートを型枠支持台の外周型枠部で緊張させる緊張付与具を設置したことを特徴とする請求項３に記載のトンネルにおける内張りシート付き筒状型枠構造。
【請求項５】
前記底型枠部の緊張作業位置で前記巻装内張りシートの両端部に連結されてこの巻装内張りシートの緊張を維持する緊張保持具を設置したことを特徴とする請求項４に記載のトンネルにおける内張りシート付き筒状型枠構造。
【請求項６】
前記型枠支持台の外周型枠部は複数の分割型枠部からなり、前記底型枠部はこの各分割型枠部のうちトンネルの底部に配設した底側分割型枠部に対し案内部材により上下動可能に支持されていることを特徴とする請求項３または請求項４または請求項５に記載のトンネルにおける内張りシート付き筒状型枠構造。
【請求項７】
トンネル用内張りシートの外面と内面とのうち外面に当てがわれる外側挟持部と内面に当てがわれる内側挟持部とを備え、この外側挟持部には内張りシートの外面に形成された突起が係止される引掛孔を形成し、この外側挟持部の引掛孔は、内張りシートの外面に形成された突起が挿入される挿入孔と、その突起が係入される係止孔とを互いに連続させて形成したものであり、その突起が係止孔で係入された係止状態でこの外側挟持部と内側挟持部とを互いに連結し得る締結部を設けたことを特徴とするトンネル用内張りシート連結具。
【発明の詳細な説明】
【技術分野】
【０００１】
本発明は、防食用内張りシートが巻着された筒状型枠とトンネルの内周壁面との間にコンクリート打設室を形成するための筒状型枠設置方法及び筒状型枠構造、並びに、内張りシートの移動時に使用する連結具に関するものである。
【背景技術】
【０００２】
下記特許文献１では、図１３，１４に示すように留め具１０に連結されて移動し得る防食シートＡが図５〜８に示すようにアーチ状セントル４の外周に巻装されてその防食シートＡとトンネルの内周壁面である一次覆工層Ｅとの間にコンクリート打設室が形成され、図９に示すようにそのコンクリート打設室に二次覆工コンクリートＤが打設される。このトンネルの底部では、トンネル床面とセントル４の下端部との間を塞ぐ両シャッター３１間で底室Ｑが形成されている。通常、この底室Ｑに底型枠で底覆工コンクリートが別途打設され、この底覆工コンクリートと前記二次覆工コンクリートＤとにより、トンネルの内周壁面には防食シートＡが貼着された筒状コンクリートが成形される。
【特許文献１】特許第３３３８８７８号公報
【発明の開示】
【発明が解決しようとする課題】
【０００３】
しかし、前記防食シートＡが貼着された筒状コンクリートをトンネルの内周壁面に成形する際、前記二次覆工コンクリートＤを成形する第一工程と、前記底覆工コンクリートを成形する第二工程とを必要とし、しかも前記両シャッター３１を設ける必要があるため、防食シートＡが貼着された筒状コンクリートの成形作業が面倒になっていた。
【０００４】
一方、前記留め具１０では、防食シートＡの頭付きアンカーＡ１を円形状のアンカー孔１０ｄに挿入した後に若干偏心させて係止しているだけであるため、アンカー孔１０ｄからアンカーＡ１が不用意に抜け落ちるおそれがあった。
【０００５】
この発明は、巻装内張りシート（前記防食シートＡに該当）を緊張状態で巻着した筒状型枠（前記セントル４及び底型枠に該当）をトンネル内で容易に設置することを目的としている。また、連結具（前記留め具１０に該当）に対し内張りシートを確実に連結することを目的としている。
【課題を解決するための手段】
【０００６】
後記実施形態の図面（図１〜１２）の符号を援用して本発明を説明する。
請求項１の発明にかかるトンネル（１）の内張りシート付き筒状型枠（４１）は下記の方法により設置される。
【０００７】
トンネル（１）内に設置した型枠支持台（３）の外周型枠部（１９）とトンネル（１）の内周壁面（３７）との間に配置した巻装内張りシート（６）をこの型枠支持台（３）の外周型枠部（１９）で緊張させるとともにその緊張を維持する。その緊張維持後にトンネル（１）の底部で型枠支持台（３）の外周型枠部（１）の両端部（３１ａ，３１ｂ）間に底型枠部（３４）を嵌め込んでこの外周型枠部（１９）の両端部（３１ａ，３１ｂ）とこの底型枠部（３４）の両端部（３４ａ，３４ｂ）とを互いに連結することにより、前記巻装内張りシート（６）が巻着された筒状型枠（４１）を設けるとともに、この筒状型枠（４１）とトンネル（１）の内周壁面（３７）との間にコンクリート打設室（３８）を形成する。ここにトンネル（１）の内周壁面（３７）とは、トンネル（１）の掘削内周面ばかりではなく、この掘削内周面に被覆処理を施した層（例えばコンクリート層や金属管など）の内周面も含む。
【０００８】
請求項１の発明では、巻装内張りシート（６）を緊張状態で巻着した筒状型枠（４１）をトンネル（１）内で容易に設置することができる。
請求項２の発明にかかるトンネル（１）の内張りシート付き筒状型枠（４１）は下記の方法により設置される。
【０００９】
内張りシート（６）をシート巻装台（２）の外周部に巻く。トンネル（１）内に設置した型枠支持台（３）の外周型枠部（１９）とトンネル（１）の内周壁面（３７）との間にこの巻装内張りシート（６）を挿入する。この型枠支持台（３）の外周型枠部（１９）でこの巻装内張りシート（６）を緊張させるとともにその緊張を維持する。その緊張維持後にトンネル（１）の底部で型枠支持台（３）の外周型枠部（１９）の両端部（３１ａ，３１ｂ）間に底型枠部（３４）を嵌め込んでこの外周型枠部（１９）の両端部（３１ａ，３１ｂ）とこの底型枠部（３４）の両端部（３４ａ，３４ｂ）とを互いに連結することにより、前記巻装内張りシート（６）が巻着された筒状型枠（４１）を設けるとともに、この筒状型枠（４１）とトンネル（１）の内周壁面（３７）との間にコンクリート打設室（３８）を形成する。例えば、前記巻装内張りシート（６）の両端部（６ａ，６ｂ）のうち少なくとも一端部（６ａ，６ｂ）を型枠支持台（３）の外周型枠部（１９）の両端部（３１ａ，３１ｂ）間で緊張付与具（３９）に連結してこの巻装内張りシート（６）の両端部（６ａ，６ｂ）を引っ張ることにより、この巻装内張りシート（６）を型枠支持台（３）の外周型枠部（１９）で緊張させる。
【００１０】
請求項２の発明では、巻装内張りシート（６）を緊張状態で巻着した筒状型枠（４１）をトンネル（１）内でより一層容易に設置することができるとともに、シート巻装台（２）を利用して型枠支持台（３）に内張りシート（６）を容易に巻装することができる。
【００１１】
請求項３の発明にかかるトンネル（１）の内張りシート付き筒状型枠（４１）の構造は下記のように構成されている。
トンネル（１）内に設置した型枠支持台（３）の外周型枠部（１９）と、トンネル（１）の底部においてこの外周型枠部（１９）の両端部（３１ａ，３１ｂ）間で案内部材（３３）により上下動可能に支持した底型枠部（３４）とにより筒状型枠（４１）を設けている。この底型枠部（３４）は、型枠支持台（３）の外周型枠部（１９）の両端部（３１ａ，３１ｂ）から下動する緊張作業位置（Ｐ）と、この緊張作業位置（Ｐ）から上動して型枠支持台（３）の外周型枠部（１９）の両端部（３１ａ，３１ｂ）間に嵌め込まれた連結作業位置（Ｑ）とを取る。この緊張作業位置（Ｐ）では型枠支持台（３）の外周型枠部（１９）に巻着された巻装内張りシート（６）とトンネル（１）の内周壁面（３７）との間に形成したコンクリート打設室（３８ａ）に対しこの外周型枠部（１９）の両端部（３１ａ，３１ｂ）間の嵌込み室（３２）が連通する。この連結作業位置（Ｑ）では型枠支持台（３）の外周型枠部（１９）の両端部（３１ａ，３１ｂ）と底型枠部（３４）の両端部（３４ａ，３４ｂ）とを互いに連結して巻装内張りシート（６）が巻着された筒状型枠（４１）とトンネル（１）の内周壁面（３７）との間にコンクリート打設室（３８）を形成した。
【００１２】
請求項３の発明では、巻装内張りシート（６）を巻着した筒状型枠（４１）をトンネル（１）内で容易に設置することができる。
請求項３の発明を前提とする請求項４の発明において、前記底型枠部（３４）の緊張作業位置（Ｐ）で、型枠支持台（３）の外周型枠部（１９）の両端部（３１ａ，３１ｂ）間の嵌込み室（３２）には、前記巻装内張りシート（６）の両端部（６ａ，６ｂ）のうち少なくとも一端部（６ａ，６ｂ）を型枠支持台（３）の外周型枠部（１９）の両端部（３１ａ，３１ｂ）間で連結してこの巻装内張りシート（６）の両端部（６ａ，６ｂ）を引っ張ることにより、この巻装内張りシート（６）を型枠支持台（３）の外周型枠部（１９）で緊張させる緊張付与具（３９）を設置した。
【００１３】
請求項４の発明では、型枠支持台（３）の外周型枠部（１９）においてその両端部（３１ａ，３１ｂ）間の嵌込み室（３２）で緊張付与具（３９）を利用することにより、巻装内張りシート（６）を型枠支持台（３）の外周型枠部（１９）で容易に緊張させることができる。
【００１４】
請求項４の発明を前提とする請求項５の発明において、前記底型枠部（３４）の緊張作業位置（Ｐ）で前記巻装内張りシート（６）の両端部（６ａ，６ｂ）に連結されてこの巻装内張りシート（６）の緊張を維持する緊張保持具（４０）を設置した。
【００１５】
請求項５の発明では、嵌込み室（３２）から緊張付与具（３９）を取り除いてその嵌込み室（３２）に底型枠部（３４）を嵌め込んでも、緊張保持具（４０）により、型枠支持台（３）の外周型枠部（１９）で巻装内張りシート（６）の緊張状態を確実に維持することができる。
【００１６】
請求項３または請求項４または請求項５の発明を前提とする請求項６の発明において、前記型枠支持台（３）の外周型枠部（１９）は複数の分割型枠部（２１，２３，２５，２６）からなり、前記底型枠部（３４）はこの各分割型枠部（２１，２３，２５，２６）のうちトンネル（１）の底部に配設した底側分割型枠部（２６）に対し案内部材（３３）により上下動可能に支持されている。
【００１７】
請求項６の発明では、外周型枠部（１９）の一部である底側分割型枠部（２６）に底型枠部（３４）を支持したので、緊張作業位置（Ｐ）と連結作業位置（Ｑ）とを取るように案内部材（３３）に沿って上下動する底型枠部（３４）を筒状型枠（４１）の一部としてトンネル（１）内で容易に設置することができる。
【００１８】
請求項７の発明にかかるトンネル用内張りシート連結具（７）は下記のように構成されている。
トンネル用内張りシート（６）の外面（１６）と内面（１７）とのうち外面（１６）に当てがわれる外側挟持部（１１）と内面（１７）に当てがわれる内側挟持部（１２）とを備えている。この外側挟持部（１１）には内張りシート（６）の外面（１６）に形成された突起（１８）が係止される引掛孔（１３）を形成している。この外側挟持部（１１）の引掛孔（１３）は、内張りシート（６）の外面（１６）に形成された突起（１８）が挿入される挿入孔（１４）と、その突起（１８）が係入される係止孔（１５）とを互いに連続させて形成したものである。その突起（１８）が係止孔（１５）で係入された係止状態でこの外側挟持部（１１）と内側挟持部（１２）とを互いに連結し得る締結部（１０）を設けた。
【００１９】
請求項７の発明では、引掛孔（１３）に対し突起（１８）を容易に挿入することができるばかりではなく、引掛孔（１３）に対する突起（１８）の抜け落ちを防止して連結具（７）に対し内張りシート（６）を確実に連結することができる。
【発明の効果】
【００２０】
本発明は、巻装内張りシート（６）を緊張状態で巻着した筒状型枠（４１）をトンネル（１）内で容易に設置することができる。また、連結具（７）に対し内張りシート（６）を確実に連結することができる。
【発明を実施するための最良の形態】
【００２１】
以下、本発明の一実施形態について図１〜１２を参照して説明する。
図１（ａ）に示すように、トンネル１内またはトンネル１外にシート巻装台２が設置され、シート巻装台２よりも奥側でトンネル１内に型枠支持台３が設置される。
【００２２】
詳細は図示しないが、このシート巻装台２においては、図１（ｂ）に示すように、鉄骨により骨組みされた巻装枠体４を主体とし、図９，１０に示すようにプラスチックにより成形された内張りシート６が巻かれたシートロール５と、図９，１０に示すように巻装用の連結具７に接続された帯状のワイヤ８を巻き取るウインチ９とが取り付けられている。
【００２３】
前記連結具７は螺子締結部材１０（締結部であるボルト及びナット）により互いに締め付けられる外側挟持板１１（外側挟持部）と内側挟持板１２（内側挟持部）とを備え、この螺子締結部材１０を挟む内側挟持板１２の基端側と先端側とのうち基端側に前記ワイヤ８が接続されている。この外側挟持板１１にはその厚み方向へ引掛孔１３が貫設されている。この引掛孔１３においては、ワイヤ８の長手方向の寸法Ｗ１４を大きくした挿入孔１４と、この挿入孔１４の長手方向寸法Ｗ１４よりも小さい長手方向寸法Ｗ１５を有する係止孔１５とが、幅方向で互いに連続して形成されている。
【００２４】
前記シートロール５から引き出された内張りシート６の外面１６と内面１７とのうち外面１６には多数の突起１８が形成されている。前記連結具７において、螺子締結部材１０を緩めた状態で、内張りシート６の一端部６ａを外側挟持板１１と内側挟持板１２との間に嵌め込み、内張りシート６の外面１６を外側挟持板１１に当てがうとともに、内張りシート６の内面１７を内側挟持板１２に当てがい、図９に示すように内張りシート６の突起１８を外側挟持板１１の挿入孔１４に挿入する。さらに、この外側挟持板１１及び内側挟持板１２をワイヤ８の長手方向に対し直交する幅方向へ移動させて内張りシート６の突起１８を外側挟持板１１の係止孔１５に係入した係止状態で、図１０に示すように螺子締結部材１０を締め付けて外側挟持板１１と内側挟持板１２とを互いに連結する。このような連結完了状態では、内張りシート６の一端部６ａを外側挟持板１１と内側挟持板１２とで挟み込み、外側挟持板１１の係止孔１５が前記ウインチ９によるワイヤ８の巻取り時に生じる引張力に対抗するとともに、内張りシート６の突起１８が外側挟持板１１の係止孔１５から内張りシート６の厚み方向へ抜けない。
【００２５】
図１（ｂ）に示すように内張りシート６の一端部６ａを前記連結具７に連結した巻装前状態から、前記ウインチ９によりワイヤ８を巻き取ると、ワイヤ８が前記巻装枠体４の円形外周部に沿って移動し、図２（ａ）（ｂ）に示すように、シートロール５から引き出された内張りシート６も巻装枠体４の円形外周部に沿うように移動して巻装枠体４の円形外周部に巻装される。その後、図３（ａ）（ｂ）に示すように、巻装内張りシート６の他端部６ｂがシートロール５から切断されるとともに、巻装内張りシート６の一端部６ａから前記連結具７が外される。そのため、シート巻装台２に巻かれた巻装内張りシート６の一端部６ａと他端部６ｂとがトンネル１の底部で互いに分断された挿入前状態となる。
【００２６】
一方、前記型枠支持台３は、図１（ａ）、図２（ａ）、図３（ａ）及び図４（ａ）に示すように、アーチ状の外周型枠部１９と駆動機構２０とを備えている。この外周型枠部１９は、天井側分割型枠部２１と、この天井側分割型枠部２１の両側に対しヒンジ２２により回動可能に支持された上両側分割型枠部２３と、この上両側分割型枠部２３の下側に対しヒンジ２４により回動可能に支持された下両側分割型枠部２５と、これらの分割型枠部２１，２３，２５に対し分離された底側分割型枠部２６とからなる。前記駆動機構２０は、前記天井側分割型枠部２１を上下動させるように天井側分割型枠部２１の両側に連結された両油圧シリンダ２７と、前記上両側分割型枠部２３を横動させるように上両側分割型枠部２３の下側に連結された両油圧シリンダ２８と、前記下両側分割型枠部２５に連結された昇降ワイヤ２９と、前記底側分割型枠部２６に連結された昇降ワイヤ３０とからなる。この各油圧シリンダ２７，２８や各昇降ワイヤ２９，３０の駆動状態に応じて、図１（ｃ）に示す縮径状態３Ａや、図２（ｃ）、図３（ｃ）及び図４（ｃ）に示すシ−ト挿入時状態３Ｂや、図５（ａ）（ｂ）（ｃ）に示す拡開状態３Ｃとなる。前記底側分割型枠部２６は、前記シ−ト挿入時状態３Ｂや拡開状態３Ｃでトンネル１の底部に配設され、図６，７，８にも示すように、内側枠体３１内で両端部３１ａ，３１ｂ間に設けられた嵌込み室３２に両案内ロッド３３（案内部材）を有している。この底側分割型枠部２６で内側枠体３１の両案内ロッド３３には底型枠部３４が上下動可能に支持されている。
【００２７】
図３（ａ）に示すように、前記型枠支持台３においてシート巻装台２に面する表側に対する裏側で、ワイヤ３５を巻き取るウインチ３６が取り付けられている。このワイヤ３５には図１１，１２に示す挿入用の連結具７を接続する。この挿入用連結具７は前記巻装用連結具７とほぼ同様な構造になっているが、外側挟持板１１の引掛孔１３では、ワイヤ３５の長手方向に対し直交する幅方向の寸法Ｗ１４を大きくした挿入孔１４と、この挿入孔１４の幅方向寸法Ｗ１４よりも小さい幅方向寸法Ｗ１５を有する係止孔１５とが、長手方向で互いに連続して形成されている。図１１に示すように巻装内張りシート６の突起１８を外側挟持板１１の挿入孔１４に挿入した後、この外側挟持板１１及び内側挟持板１２をワイヤ３５の長手方向へ移動させて巻装内張りシート６の突起１８を外側挟持板１１の係止孔１５に係入した係止状態で、図１２に示すように螺子締結部材１０を締め付けて外側挟持板１１と内側挟持板１２とを互いに連結する。このような連結完了状態では、外側挟持板１１の係止孔１５が前記ウインチ３６によるワイヤ３５の引き込み時に生じる引張力に対抗するとともに、巻装内張りシート６の突起１８が外側挟持板１１の係止孔１５から巻装内張りシート６の厚み方向へ抜けない。
【００２８】
図３（ａ）に示すシート挿入前状態から、前記ウインチ３６によりワイヤ３５を巻き取ると、図３（ｃ）に示すシ−ト挿入時状態３Ｂにある前記型枠支持台３の外周型枠部１９とトンネル１の内周壁面３７との間をワイヤ３５がこのトンネル１の内周壁面３７に沿って移動する。そのため、図４（ａ）（ｃ）に示すように、シート巻装台２に巻かれた巻装内張りシート６もトンネル１の内周壁面３７に沿うように移動して前記型枠支持台３の外周型枠部１９に巻装される。
【００２９】
次に、図５（ａ）及び図６に示すように、前記型枠支持台３の外周型枠部１９が拡開状態３Ｃになるとともに、この外周型枠部１９の底側分割型枠部２６で底型枠部３４を両案内ロッド３３に沿うように下動させて緊張作業位置Ｐにする。この緊張作業位置Ｐでは、型枠支持台３の外周型枠部１９に巻かれた巻装内張りシート６とトンネル１の内周壁面３７との間に形成されたコンクリート打設室３８ａに対しこの底側分割型枠部２６の嵌込み室３２が連通する。この嵌込み室３２のスペースを利用してそこにチェーンブロック３９（緊張付与具）を設置する。前記型枠支持台３の外周型枠部１９に巻かれた巻装内張りシート６の両端部６ａ，６ｂをこのチェーンブロック３９に連結して引っ張ることにより、この巻装内張りシート６を型枠支持台３の外周型枠部１９で緊張させる。
【００３０】
その後、図５（ｂ）及び図７に示すように、前記底型枠部３４の緊張作業位置Ｐで底側分割型枠部２６の内側枠体３１内に両ターンバックル４０（緊張保持具）を設置し、この両ターンバックル４０に前記巻装内張りシート６の両端部６ａ，６ｂを連結してこの巻装内張りシート６の緊張を維持する。その緊張維持後は前記チェーンブロック３９を巻装内張りシート６の両端部６ａ，６ｂから外す。
【００３１】
次に、図５（ｃ）及び図８に示すように、前記底型枠部３４を緊張作業位置Ｐから上動させて底側分割型枠部２６の嵌込み室３２に嵌め込んで固定した連結作業位置Ｑにする。この連結作業位置Ｑでは、底側分割型枠部２６の内側枠体３１の両端部３１ａ，３１ｂと底型枠部３４の両端部３４ａ，３４ｂとを互いに連結して、巻装内張りシート６が巻着された筒状型枠４１とトンネル１の内周壁面３７との間にコンクリート打設室３８を形成する。このようにして形成したコンクリート打設室３８を仕切った後、このコンクリート打設室３８にコンクリートを注入すると、トンネル１の内周壁面３７に円筒状コンクリートが成形される。乾燥後、型枠支持台３を前記縮径状態３Ａにすると、この円筒状コンクリートの内周面全体のうちトンネル１の底部を除いた部分には巻装内張りシート６が貼着されて残る。
【００３２】
なお、前記シート巻装台２を省略し、前記型枠支持台３の外周型枠部１９に内張りシート６を直接巻装させてもよい。
【図面の簡単な説明】
【００３３】
【図１】（ａ）はシート巻装台及び型枠支持台を設置したトンネル内でシート巻装台の外周部に内張りシートを巻く前の状態を概略的に示す縦断面図であり、（ｂ）は（ａ）のシート巻装台を概略的に示す横断面図であり、（ｃ）は（ａ）の型枠支持台を概略的に示す横断面図である。
【図２】（ａ）はシート巻装台及び型枠支持台を設置したトンネル内でシート巻装台の外周部に内張りシートを巻いた後の状態を概略的に示す縦断面図であり、（ｂ）は（ａ）のシート巻装台を概略的に示す横断面図であり、（ｃ）は（ａ）の型枠支持台を概略的に示す横断面図である。
【図３】（ａ）はシート巻装台及び型枠支持台を設置したトンネル内でシート巻装台から巻装内張りシートを型枠支持台に移す前の状態を概略的に示す縦断面図であり、（ｂ）は（ａ）のシート巻装台を概略的に示す横断面図であり、（ｃ）は（ａ）の型枠支持台を概略的に示す横断面図である。
【図４】（ａ）はシート巻装台及び型枠支持台を設置したトンネル内でシート巻装台から巻装内張りシートを型枠支持台に移した後の状態を概略的に示す縦断面図であり、（ｂ）は（ａ）のシート巻装台を概略的に示す横断面図であり、（ｃ）は（ａ）の型枠支持台を概略的に示す横断面図である。
【図５】（ａ）は図４（ｃ）の型枠支持台で巻装内張りシートを緊張した状態を概略的に示す横断面図であり、（ｂ）は（ａ）の型枠支持台で巻装内張りシートの緊張を維持した状態を概略的に示す横断面図であり、（ｃ）は（ｂ）の型枠支持台で筒状型枠によりコンクリート打設室を形成した状態を概略的に示す横断面図である。
【図６】図５（ａ）の部分拡大詳細断面図である。
【図７】図５（ｂ）の部分拡大詳細断面図である。
【図８】図５（ｃ）の部分拡大詳細断面図である。
【図９】（ａ）はシート巻装用連結具を内張りシートに連結する途中の状態を示す部分平面図であり、（ｂ）は同じく部分正面図であり、（ｃ）は同じく部分断面図である。
【図１０】（ａ）はシート巻装用連結具を内張りシートに連結した後の状態を示す部分平面図であり、（ｂ）は同じく部分正面図であり、（ｃ）は同じく部分断面図である。
【図１１】（ａ）はシート挿入用連結具を内張りシートに連結する途中の状態を示す部分平面図であり、（ｂ）は同じく部分正面図であり、（ｃ）は同じく部分断面図である。
【図１２】（ａ）はシート挿入用連結具を内張りシートに連結した後の状態を示す部分平面図であり、（ｂ）は同じく部分正面図であり、（ｃ）は同じく部分断面図である。
【符号の説明】
【００３４】
１…トンネル、２…シート巻装台、３…型枠支持台、６…巻装内張りシート、６ａ，６ｂ…巻装内張りシートの端部、１１…外側挟持板、１２…内側挟持板、１３…引掛孔、１６…巻装内張りシートの外面、１７…巻装内張りシートの内面、１８…巻装内張りシートの突起、１９…外周型枠部、２１…天井側分割型枠部、２３…上両側分割型枠部、２５…下両側分割型枠部、２６…底側分割型枠部、３１ａ，３１ｂ…外周型枠部の両端部、３２…嵌込み室、３３…案内ロッド（案内部材）、３４…底型枠部、３４ａ，３４ｂ…底型枠部の両端部、３７…トンネルの内周壁面、３８，３８ａ…コンクリート打設室、３９…チェーンブロック（緊張付与具）、４０…ターンバックル（緊張保持具）、４１…筒状型枠、Ｐ…緊張作業位置、Ｑ…連結作業位置。
【図１】
2005179995.tif 000003
【図２】
2005179995.tif 000004
【図３】
2005179995.tif 000005
【図４】
2005179995.tif 000006
【図５】
2005179995.tif 000007
【図６】
2005179995.tif 000008
【図７】
2005179995.tif 000009
【図８】
2005179995.tif 000010
【図９】
2005179995.tif 000011
【図１０】
2005179995.tif 000012
【図１１】
2005179995.tif 000013
【図１２】
2005179995.tif 000014